(57)【特許請求の範囲】
【請求項１】
上部に設けられ、傘を頂点方向から挿入するための開口部と、
前記開口部から下部に向けて次第に先細りになるように形成され、前記開口部から挿入された前記傘が回転されることにより、傘の布地を巻き取るように構成された巻き取り部とを備え、
前記巻き取り部は、前記開口部から前記下部に向けて直径が小さくなる複数の円形状の巻き取り用部材で構成され、
巻き取り用部材は、切り欠けが設けられた円形状の部材であることを特徴とする傘の巻取り装置。
【請求項２】
請求項１に記載の傘の巻取り装置において、
前記開口部は、前記傘を窄めたときの最も太い布地部分に応じた長さを直径とする円形状に構成され、
前記巻き取り部の下部は、前記傘を窄めたときの最も細い布地部分に応じた長さを直径とする円形状に構成されることを特徴とする傘の巻取り装置。
【請求項３】
請求項１または２に記載の傘の巻取り装置において、
前記巻き取り用部材には、前記傘の布地を巻き取る際に前記傘の布地と接する面に、前記傘の布地から落下する水滴を吸収する性質のある吸収素材が設けられることを特徴とする傘の巻取り装置。
【請求項４】
請求項１〜３のいずれか一項に記載の傘の巻取り装置において、
前記傘の布地を巻き取る際に前記傘の布地から落下した水滴を受ける水受け部を前記巻き取り部の下方に備えることを特徴とする傘の巻取り装置。
【請求項５】
請求項４に記載の傘の巻取り装置において、
前記巻き取り部には、前記傘の布地を巻き取る際に前記傘の布地から落下した水滴を前記水受け部へ誘導する溝が設けられることを特徴とする傘の巻取り装置。
【発明の詳細な説明】
【技術分野】
【０００１】
本発明は、傘の巻取り装置に関する。
【背景技術】
【０００２】
次のような洋傘収納棚が知られている。この洋傘収納棚では、角度を付けた円筒状の収納部に洋傘を収納することにより、収納した洋傘の水切れを良くするとともに、柄を回して円筒から出せば、奇麗に布が巻かれた状態で纏まり良く洋傘を取り出すことができる（例えば、特許文献１）。
【先行技術文献】
【特許文献】
【０００３】
【特許文献１】特開平８−２６６３８７号公報
【発明の概要】
【発明が解決しようとする課題】
【０００４】
しかしながら、傘の形状は、柄側から頂点側に向けて先細りとなるのが一般的であるのに対して、従来の洋傘収納棚では、傘を収納する収納部の形状を円筒状としたため、取り出し時に傘を回転させると、傘の最も太い部分が円筒状の収納部と接して傘の布地が巻き取られるため、その部分の布地だけに力が加わって破損の原因となったり、傘の布地を全体的に均一に巻き取ることができない可能性があった。
【課題を解決するための手段】
【０００５】
本発明による傘の巻取り装置は、上部に設けられ、傘を頂点方向から挿入するための開口部と、開口部から下部に向けて次第に先細りになるように形成され、開口部から挿入された傘が回転されることにより、傘の布地を巻き取るように構成された巻き取り部とを備え、巻き取り部は、開口部から下部に向けて直径が小さくなる複数の円形状の巻き取り用部材で構成され、巻き取り用部材は、切り欠けが設けられた円形状の部材であることを特徴とする。
本発明では、開口部は、傘を窄めたときの最も太い布地部分に応じた長さを直径とする円形状に構成され、巻き取り部の下部は、傘を窄めたときの最も細い布地部分に応じた長さを直径とする円形状に構成されることが好ましい。
巻き取り用部材には、傘の布地を巻き取る際に傘の布地と接する面に、傘の布地から落下する水滴を吸収する性質のある吸収素材が設けられるようにしてもよい。
傘の布地を巻き取る際に傘の布地から落下した水滴を受ける水受け部を巻き取り部の下方に備えるようにしてもよい。
巻き取り部には、傘の布地を巻き取る際に傘の布地から落下した水滴を水受け部へ誘導する溝が設けられるようにしてもよい。
【発明の効果】
【０００６】
本発明による傘の巻取り装置では、柄側から頂点側に向けて先細りとなる一般的な傘の形状に合わせて、開口部から下部に向けて次第に先細りになるように巻き取り部を形成するようにしたので、柄側から頂点側に達する傘の布地全体と巻き取り部とが接して、どこか一部分だけに力が加わるのを防ぐことができる。また、布地を均一に巻き取ることができる。
【図面の簡単な説明】
【０００７】
【図１】傘の巻取り装置１の一実施の形態の構成を模式的に示した図である。
【図２】リング部材の形状を模式的に示した図である。
【図３】傘の巻取り装置１の使用例を模式的に示した図である。
【図４】傘の巻取り装置１を利用して傘の布地を巻き取る方法を模式的に示した図である。
【図５】巻き取り部２に螺旋状の巻き取り用部材を用いた場合の構成例を示した第１の図である。
【図６】巻き取り部２に螺旋状の巻き取り用部材を用いた場合の構成例を示した第２の図である。
【図７】巻き取り部２を構成するリング部材に布地から落下した水滴を誘導するための溝を設けた例を模式的に示した図である。
【図８】各リング部材内部に設けられた排水溝２ｄと、支柱３の内部に設けられた排水レール２ｅの構造を模式的に示した図である。
【発明を実施するための形態】
【０００８】
図１は、本実施の形態における傘の巻取り装置の一実施の形態の構成を模式的に示した図である。傘の巻取り装置１は、複数の円形状のリング部材２−１から２−８で構成される傘の巻き取り部２と、巻き取り部２を支持する支柱３と、支柱３を自立させるための台座４とで構成される。
【０００９】
巻き取り部２は、最も上側に設けられたリング部材２−１によって開口部が形成され、開口部から下部に向けて次第に先細りになるように、直径が異なる複数のリング部材２−２から２−８が設けられる。これら複数のリング部材２−１から２−８は、支柱３に鉛直方向に所定間隔で取り付けられている。巻き取り部２を構成するリング部材において、例えば、開口部を構成するリング部材２−１の直径は、傘を窄めたときの最も太い布地部分の太さに合わせて、例えば９０ｍｍ〜１００ｍｍ程度とする。また、最も下側に位置するリング部材２−８の直径は、傘を窄めたときの最も細い布地部分の太さに合わせて、例えば２０ｍｍ〜３０ｍｍ程度とする。そして、これらの間に位置するリング部材２−２から２−７の直径は、一般的な傘を窄めたときの形状に合わせて、開口部から下部に向けて次第に先細りになるように設計される。
【００１０】
また、図１では、上方５つのリング部材２−１から２−５には、部材の一部に切り欠きが設けられており、切り欠きが設けられている側と反対側の面を接続面として支柱３に取り付けられている。また、下方３つのリング部材２−６から２−８は切り欠きがない円形状の部材となっており、円弧上の一部で支柱３に接続されている。すなわち、リング部材２−１から２−５は、上方から見ると図２（Ａ）に示すように、円形状の部材の一部に切り欠きが設けられている。また、リング部材２−６から２−８は、上方から見ると図２（Ｂ）に示すように、円形状の部材となっている。
【００１１】
上方５つのリング部材２−１から２−５に切り欠きを設けた理由について、図３を用いて説明する。図３は、本実施の形態における傘の巻取り装置１の使用例を模式的に示した図である。なお、図３では、巻き取り部２と支柱３のみを図示し、台座４の図示は省略している。
【００１２】
図３に示すように、傘５には、布地を巻き取った状態を維持するために、布地を留める帯状の留め具５ａが設けられているのが一般的である。本実施の形態における傘の巻取り装置１では、ユーザが傘を巻き取り部２に挿入する際に、留め具５ａがリング部材に引っかかって挿入し辛くなることを防ぐために、挿入時に留め具５ａが通過する可能性が高い位置に存在するリング部材２−１から２−５に切り欠きを設けている。これによって、リング部材２−１から２−５に設けられた切り欠きが、留め具５ａの通り道の役割を果たし、ユーザは傘をスムーズに巻き取り部２へ挿入することができる。
【００１３】
また、ユーザは、後述するように傘の巻取り装置１を用いて傘の布地を巻き取った後には、留め具５ａを用いて、巻き取られた傘の布地を止める必要がある。このために、傘を巻き取り部２内に奥まで挿入した際に、一般的な傘の留め具が位置する箇所に相当するリング部材については、上下間にユーザが留め具を留めるために十分なスペースを確保することが望ましい。例えば、切り欠きを設けたリング部材２−１から２−５は、それぞれ上下間に、ユーザが留め具を留めるために必要な間隔として、２０ｍｍ〜３０ｍｍ程度の間隔を空けておくことが望ましい。
【００１４】
台座４は、巻き取り部２に挿入された傘から落ちる水滴を受ける水受けの役割を果たすために、所定の深さを有するトレー上の台座が用いられ、該台座４に支柱３が設置されている。なお、巻き取り部２、支柱３、台座４のそれぞれは、巻き取り部２には濡れた傘が挿入されることを考慮して、錆びにくい素材、例えば、アルミ、ステンレス、樹脂等が用いられる。
【００１５】
ユーザは、本実施の形態における傘の巻取り装置１の巻き取り部２に傘を挿入し、傘を左右何れかの方向に回転させることにより、傘の布地を巻き取ることができる。図４は、本実施の形態における傘の巻取り装置１を利用して傘の布地を巻き取る方法を模式的に示した図である。なお、図４においても、図３と同様に、傘の巻取り装置１の巻き取り部２と支柱３のみを図示し、台座４の図示は省略している。
【００１６】
ユーザは、図４（Ａ）に示すように、使用した傘５を窄めた状態、かつ布地を巻き取っていない状態で、開口部を構成するリング部材２−１から傘を巻き取り部２に挿入する。
【００１７】
ユーザは、その後、図４（Ｂ）に示すように、上部に位置するリング状部材２−１から２−５に設けられた切り欠き部分を留め具５ａが通過するように位置合わせを行った上で、巻き取り部２の下方に向けて傘５の挿入を続ける。
【００１８】
その後、ユーザは、傘５の持ち手を回転させて、巻き取り部２内で傘を回転させる。これにより、巻き取り部２を構成するリング部材２−１〜２−８と傘５の布地とが接した状態で傘５が回転されるため、各リング部材と傘５の布地との間に摩擦力が生じて布地の巻き取りが開始される。
【００１９】
なお、上述したように、開口部を構成するリング部材２−１の直径は、傘５を窄めたときの最も太い布地部分に応じた長さとし、最も下側に位置するリング部材２−８の直径は、傘５を窄めたときの最も細い布地部分に応じた長さとして、これらの間に位置するリング部材２−２から２−７の直径は、一般的な傘５を窄めたときの形状に合わせて、開口部から下部に向けて次第に先細りになるように設計されている。このため、ユーザが巻き取り部２の下方に向けて傘５の挿入を行っている途中、すなわち、傘５の頂点部分が巻き取り部２の下部に到達するまでの間は、傘５の布地とリング部材との間の距離に余裕があるため、傘５の布地は、ゆるく巻き取られることになる。
【００２０】
その後、図４（Ｃ）に示すように、ユーザによって傘５が回転されながら巻き取り部２内でさらに下方に押し下げられると、開口部から下部に向けて次第に先細りになるように構成された巻き取り部２の形状により、傘５の布地とリング部材との間の距離が徐々に狭まり、傘５の回転に伴って、布地がよりきつく巻き取られることになる。これによって、傘５は次第に細く巻き取られていく。
【００２１】
ユーザは、図４（Ｄ）に示すように、傘５が十分に細くなるまで布地が巻き取られたことを確認した後に、リング部材２−２と２−３の間に位置している布地の留め具５ａを用いて傘５の布地を止める。
【００２２】
ユーザは、その後、図４（Ｅ）に示すように、傘５を巻き取り部２から取り出す。これによって、ユーザは、留め具５ａにより布地が巻き取られた状態で、傘５を取り出すことができる。
【００２３】
以上説明した本実施の形態によれば、以下のような作用効果を得ることができる。
（１）傘の巻取り装置１は、傘５を頂点方向から挿入するための開口部と、開口部から下部に向けて次第に先細りになるように形成され、開口部から挿入された傘５が回転されることにより、傘５の布地を巻き取るように構成された巻き取り部２とを備えるようにした。これによって、柄側から頂点側に達する傘５の布地全体と巻き取り部２を構成する複数のリング部材とが接して、どこか一部分だけに力が加わるのを防ぐことができ、布地を均一に巻き取ることができる。また、ユーザは、傘５を巻き取り部２に挿入して回転させるだけで布地を巻き取ることができるため、手を濡らさずに傘５の布地を巻き取ることができる。
【００２４】
（２）開口部を構成するリング部材２−１の直径は、傘５を窄めたときの最も太い布地部分に応じた長さとし、最も下側に位置するリング部材２−８の直径は、傘５を窄めたときの最も細い布地部分に応じた長さとするとともに、これらの間に位置するリング部材２−２から２−７の直径は、一般的な傘５を窄めたときの形状に合わせて、開口部から下部に向けて次第に先細りになるように設計されるようにした。これによって、巻き取り部２を一般的な傘５に合わせた形状とすることができ、布地を均一に巻き取ることができる。
【００２５】
（３）リング部材２−１〜２−５には切り欠けを設けるようにした。このように、挿入時に留め具５ａが通過する可能性が高い位置に存在するリング部材２−１から２−５に切り欠きを設けることにより、ユーザが傘５を巻き取り部２に挿入する際に、留め具５ａがリング部材に引っかかって挿入し辛くなることを防ぐことができる。
【００２６】
（４）台座４としては、巻き取り部２に挿入された傘５から落ちる水滴を受ける水受けの役割を果たすために、所定の深さを有するトレー上の台座を用いるようにした。これによって、傘５から落ちた水滴を台座４で受けて、周囲の床が濡れるのを防ぐことができる。
【００２７】
―変形例―
なお、上述した実施の形態の傘の巻取り装置１は、以下のように変形することもできる。
（１）上述した実施の形態では、巻き取り部２を構成するリング部材のうち、上方５つのリング部材２−１から２−５に切り欠きを設ける例について説明した。しかしながら、全てのリング部材に切り欠きを設けてもよい。あるいは、全てのリング部材に切り欠きを設けなくてもよい。なお、全てのリング部材に切り欠きを設ければ、リング部材における材料の使用量を減らして製造コストを下げることができる上に、傘の巻取り装置１の軽量化を図ることもできる。
【００２８】
（２）上述した実施の形態では、巻き取り部２は、開口部から下部に向けて直径が小さくなる複数の円形状のリング部材２−１から２−８で構成される例について説明した。しかしながら、巻き取り部２は、図５に示すように、開口部から下部に向けて直径が小さくなるように構成された螺旋状の巻き取り用部材を用いるようにしてもよい。また、巻き取り用部材の螺旋形状は、図６に示すように、傘５を挿入した際に留め具５ａが位置する部分の間隔を広くするようにしてもよい。さらに、本発明の目的を発揮できる構造であれば、巻き取り部２の構造は、ここで図示した構造に限定されない。
【００２９】
（３）上述した実施の形態では、巻き取り部２を構成するリング部材２−１〜２−８には、アルミ、ステンレス、樹脂等の錆びにくい素材が用いられる例について説明した。しかしながら、巻き取り部２を構成するリング部材２−１〜２−８には、傘５の布地を巻き取る際に傘５の布地と接する面に、傘５の布地に付着した水滴を吸収する性質のある吸収素材、例えば珪藻土等を設けるようにしてもよい。これによって、傘５の布地に付着した水滴を吸収素材で吸収させることができる。また、支柱３の傘５と接する面にも吸収素材を設けてもよいし、台座５のトレー内部に吸収素材のマットを敷くようにしてもよい。
【００３０】
（４）上述した実施の形態では、台座４は、巻き取り部２に収納された傘５から落ちる水滴を受ける水受けの役割を果たすために、所定の深さを有するトレー上の台座が用いられる例について説明した。しかしながら、巻き取り部２に収納された傘から落ちる水滴が確実に台座４のトレーに溜まるように、巻き取り部２と支柱３に、傘５の布地を巻き取る際に傘５の布地から落下した水滴を台座４のトレー内へ誘導するための排水構造を設けるようにしてもよい。
【００３１】
図７は、巻き取り部２を構成するリング部材に布地から落下した水滴を誘導するための溝を設けた例を模式的に示した図である。図７では、円形状のリング部材を上方から見た状態を示しており、リング部材の中央部分に溝２ａを設けた例を示している。図７に示す例では、溝２ａの周辺部２ｂには、溝２ａ側が低くなるように、リング部材の外側から溝２ａの方向に向けて傾斜が設けられている。これによって、リング部材の上面に付着した水滴は、傾斜に沿って溝２ａに流れ落ちる。溝２ａには、支柱３側に排水口２ｃが開けられており、溝２ａに溜まった水は、排水口２ｃから下に流れていく。なお、溝２ａに、排水口２ｃの逆側を高くし、排水口２ｃが最も低くなるように傾斜を設ければ、溝２ａに溜まった水を排水口２ｃに導くことができる。
【００３２】
図８に示すように、各リング部材の排水口２ｃは、リング部材内部に設けられた排水溝２ｄに接続されており、該排水溝２ｄは、支柱３の内部に設けられて台座４の水受け用トレー内に水を誘導するための排水レール２ｅに接続されている。なお、図８では、上側のリング部材の排水溝２ｄに接続されている排水レール２ｅと、下側のリング部材の排水溝２ｄに接続されている排水レール２ｅとは、下側のリング部材により分断されたように図示されているが、実際には、排水レール２ｅは、下側のリング部材に隠れているに過ぎず、支柱３に設けられた排水レール２ｅは、リング部材２−１から台座４の水受け用トレーまで繋がって構成されている。
【００３３】
これによって、傘６から各リング部材の上面に落下した水滴は、溝２ａに集められた後に、排水口２ｃ、排水溝２ｄと伝って排水レール２ｅへ導かれ、排水レール２ｅ内を落下して台座４の水受け用トレーに溜まることになる。なお、図７、図８に示した矢印は、水の流れを明確にするために便宜的に示したものである。
【００３４】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３５】
１  傘の巻取り装置
２  巻き取り部
２−１、２−２、２−３、２−４、２−５、２−６、２−７、２−８  リング部材
３  支柱
４  台座
５  傘
５ａ  留め具
【要約】
【課題】傘の布地を巻き取るための装置を提供すること。
【解決手段】傘の巻取り装置１は、上部に設けられ、傘を頂点方向から挿入するための開口部と、開口部から下部に向けて次第に先細りになるように形成され、開口部から挿入された傘が回転されることにより、傘の布地を巻き取るように構成された巻き取り部２とを備える。
【選択図】図１【図１】
0005388153.tif 000002
【図２】
0005388153.tif 000003
【図３】
0005388153.tif 000004
【図４】
0005388153.tif 000005
【図５】
0005388153.tif 000006
【図６】
0005388153.tif 000007
【図７】
0005388153.tif 000008
【図８】
0005388153.tif 000009